(57)【要約】【課題】カードを電子機器本体に装着した状態でもカードの表面が視認可能で、しかもカードスロットの取り付け部分が無駄なスペースにならず、多くの情報を表示できるような方法でカードスロットが設置されている電子機器を提供すること。【解決手段】電子機器の本体に収納され、着脱自在な記録媒体を備えた機器であって、前記記録媒体を装着した状態で、前記記録媒体の一部又は全体が外部から視認できるような電子機器において、前記記録媒体が外部を向いた面を上面としたとき、前記記録媒体の下面側に表示部材が設置されていることを特徴とする。【選択図】図１
2006025329.tif 000002
【特許請求の範囲】
【請求項１】
電子機器の本体に収納され、着脱自在な記録媒体を備えた機器であって、前記記録媒体を装着した状態で、前記記録媒体の一部又は全体が外部から視認できるような電子機器において、
前記記録媒体が外部を向いた面を上面としたとき、前記記録媒体の下面側に表示部材が設置されていることを特徴とする電子機器。
【請求項２】
前記記録媒体の下面側にある表示部材が任意の色に光ることを特徴とする請求項１記載の電子機器。
【請求項３】
前記表示部材が表示表現部材と表示照明部材から成るとき、前記記録媒体を挿入すると、表示表現部材の表示が切れることを特徴とする請求項１記載の電子機器。
【請求項４】
前記記録媒体の下面側にある前記表示部材に電子機器の任意の情報を表現することを特徴とする請求項２記載の電子機器。
【請求項５】
前記電子機器の任意の情報が前記記録媒体の全記録容量に対する記録可能領域の割合であることを特徴とする請求項４記載の電子機器。
【請求項６】
前記情報の表現が前記表示部材を光らせる照明部材によってなされることを特徴とする請求項４記載の電子機器。
【請求項７】
前記照明部材が複数の種類であり、それぞれの種類の前記照明部材が複数設置され、前記情報の表現を前記照明部材の光る領域を用いて表現することを特徴とする請求項６記載の電子機器。
【請求項８】
前記照明部材の光量が調節可能で、前記情報の表現を前記照明部材の光量を用いて表現することを特徴とする請求項６記載の電子機器。
【請求項９】
前記照明部材が表裏両面を照射可能で、前記照明部材を挟んで前記記録媒体の設置された側とは反対側に表示部材が設置されていることを特徴とする請求項７記載の電子機器。
【請求項１０】
前記照明部材を挟んで前記記録媒体の設置された側とは反対側に設置された表示部材が向いている方向を検出する手段を備えたことを特徴とする請求項８記載の電子機器。
【発明の詳細な説明】
【技術分野】
【０００１】
本発明は、例えば、デジタルスチルカメラ、ビデオカメラ等の電子機器において、データを記録する着脱可能な記憶手段を取り付ける領域の有効な利用方法に関する。
【背景技術】
【０００２】
デジタルビデオカメラやデジタルカメラ、携帯電話、ＰＤＡ等の情報端末において、情報の記録や、記録された情報のやり取りにＳＤカードやコンパクトフラッシュカード（ＣＦカード）等の着脱可能な記録メディアが使用されている。これらの記録メディアの読み出し書き込みを行うカードスロットは、電子機器の側面近くの基板に実装されてきた。このように電子機器の側面近くの基板に実装されると、カードスロットと筐体の壁を挟んで反対側に位置する電子機器の側面表面部は、カードスロットと基板を共通で使用できるスイッチ類を配したり、何も用途のないスペースになっていたりすることが多かった。
【０００３】
又、上記の電子機器は使用者にできるだけ多くの情報を伝えるため、多くの情報表示スペースを必要としている。
【０００４】
【特許文献１】特開平１０−１５５１００号公報
【発明の開示】
【発明が解決しようとする課題】
【０００５】
しかしながら、上述のように電子機器の側面近くの基板に実装され、共通の基板にスイッチ等が実装されてしまうと、カード表面を全く見ることができなくなり、使用者が複数のカードを使用している場合、どのカードが電子機器本体の中に入っているのか全く分からなくなってしまうという欠点があった。
【０００６】
又、上述のように電子機器の表面にはできるだけ多くの情報表示スペースを必要としているという背景から、本発明ではカードを電子機器本体に装着した状態でもカードの表面が視認可能で、しかもカードスロットの取り付け部分が無駄なスペースにならず、多くの情報を表示できるような方法でカードスロットが設置されている電子機器を提供することを目的とする。
【課題を解決するための手段】
【０００７】
上記目的を達成するため、請求項１記載の発明は、電子機器の本体に収納され、着脱自在な記録媒体を備えた機器であって、前記記録媒体を装着した状態で、前記記録媒体の一部又は全体が外部から視認できるような電子機器において、前記記録媒体が外部を向いた面を上面としたとき、前記記録媒体の下面側に表示部材が設置されていることを特徴とする。
【０００８】
請求項２記載の発明は、請求項１記載の発明において、前記記録媒体の下面側にある表示部材が任意の色に光ることを特徴とする。
【０００９】
請求項３記載の発明は、請求項１記載の発明において、前記表示部材が表示表現部材と表示照明部材から成るとき、前記記録媒体を挿入すると、表示表現部材の表示が切れることを特徴とする。
【００１０】
請求項４記載の発明は、請求項２記載の発明において、前記記録媒体の下面側にある前記表示部材に電子機器の任意の情報を表現することを特徴とする。
【００１１】
請求項５記載の発明は、請求項４記載の発明において、前記電子機器の任意の情報が前記記録媒体の全記録容量に対する記録可能領域の割合であることを特徴とする。
【００１２】
請求項６記載の発明は、請求項４記載の発明において、前記情報の表現が前記表示部材を光らせる照明部材によってなされることを特徴とする。
【００１３】
請求項７記載の発明は、請求項６記載の発明において、前記照明部材が複数の種類であり、それぞれの種類の前記照明部材が複数設置され、前記情報の表現を前記照明部材の光る領域を用いて表現することを特徴とする。
【００１４】
請求項８記載の発明は、請求項６記載の発明において、前記照明部材の光量が調節可能で、前記情報の表現を前記照明部材の光量を用いて表現することを特徴とする。
【００１５】
請求項９記載の発明は、請求項７記載の発明において、前記照明部材が表裏両面を照射可能で、前記照明部材を挟んで前記記録媒体の設置された側とは反対側に表示部材が設置されていることを特徴とする。
【００１６】
請求項１０記載の発明は、請求項８記載の発明において、前記照明部材を挟んで前記記録媒体の設置された側とは反対側に設置された表示部材が向いている方向を検出する手段を備えたことを特徴とする。
【発明の効果】
【００１７】
本発明によれば、カードを電子機器本体に装着した状態でもカードの表面が視認可能で、しかもカードスロットの取り付け部分が無駄なスペースにならず、多くの情報を表示できるような方法でカードスロットが設置されている電子機器を提供することができる。
【発明を実施するための最良の形態】
【００１８】
以下、添付の図面に沿って本発明の電子機器の実施形態を、デジタルビデオカメラを例として詳細に説明する。
【００１９】
＜実施の形態１＞
図１は本発明を適用したデジタルビデオカメラ１０１の背面より見た外観斜視図、図２は本発明を適用したデジタルビデオカメラ１０１の内部構成を示すブロック図、図３は本発明を適用したデジタルビデオカメラ１０１のカードスロット部１０８の断面図である。
【００２０】
デジタルビデオカメラ１０１は、レンズ部から入射した画像を撮像素子２０１で光電変換し、Ａ／Ｄコンバータ２０２、信号処理回路２０３を経てレコーダー部２０４で記録することができる。又、静止画を撮像する場合には、カードスロット１０８に差し込まれたメモリカード１０５に静止画情報を記録し、前記の静止画が記録されたメモリカード１０５をデジタルビデオカメラ１０１から外してパソコン等に接続することで、静止画をパソコン上で利用することができる。又、信号処理回路２０３を経た前記の画像を表示駆動回路２０５で液晶画面１０３やビューファインダー１０４に表示する。これらの信号処理はシステムコントロールマイコン２０６で制御を行う。
【００２１】
本発明におけるカードスロット１０８では、カードスロット１０８がデジタルビデオカメラ１０１の筐体表面を向いている側に透明部材３０１が設置されることにより、カードスロット１０８に差し込んでいるメモリカード１０５の表面が筐体の外部から視認できる。
【００２２】
更に、カードスロット１０８のメモリカード１０５の下には透明な保護部材を挟んでカードスロット下液晶表示１０７があり、カードスロット下液晶表示１０７の下にはカードスロット下液晶表示１０７を光らせることができるカードスロット下バックライト２１０が設置されている。このカードスロット下バックライト２１０は、カードスロット下液晶表示１０７を光らせるだけでなく、メモリカード１０５がカードスロット１０８に差し込まれている時にも、メモリカード１０５の周囲から光が漏れ、透明部材３０１を通してデジタルビデオカメラ１０１の外側からでもカードスロット下バックライト２１０の光を視認することができるよう、光量が或る程度多いものを使用している。
【００２３】
本発明の特徴であるカードスロット部１０８の内部構成としては、前述のシステムコントロールマイコン２０６により制御されるカードスロット下用の表示駆動回路２０８によりカードスロット下液晶表示１０７とカードスロット下バックライト２１０の駆動を行っている。このカードスロット下用の表示駆動回路２０８は、カードスロット１０８に差し込まれたメモリカード１０５の空き容量やメモリカード１０５の有無等の情報を、カードスロット下液晶表示１０７やカードスロット下バックライト２１０の表示に反映することができる。
【００２４】
次に、使用者が実際にこのデジタルビデオカメラ101
を使用する状況を説明する。
【００２５】
図４にはデジタルビデオカメラ１０１のスロットカード下表示に関する判断処理のフローチャートを示す。又、図５〜図８にはカードスロット下液晶表示１０７とカードスロット下バックライト２１０の表示例を示す。
【００２６】
使用者がデジタルビデオカメラ１０１を持ち撮影を行おうとする。動画撮影を行う場合には使用者はレコーダー部２０４にテープ等の記録媒体をセットして撮影に臨む。そして、使用者が静止画を撮影するのに相応しい被写体を発見した時に、使用者はデジタルビデオカメラ本体１０１の側面にあるカードスロット１０８を見る。従来のデジタルビデオカメラであれば、例えばカードに静止画を記録するモードに切り替えて初めて、液晶表示画面１０３やビューファインダー１０４に表示された「カードが無い」旨を伝える表示を使用者が見ることでメモリカード１０５がセットされていないことを知る。若しくはカードスロット１０８の蓋を開けて、薄いメモリカード１０５が入っているか目を細めて確かめなければならなかった。
【００２７】
しかし、本発明におけるデジタルビデオカメラ１０１においては、使用者がカードスロット１０８の外側からカードスロット１０８を見ると、図５に示す「カードが無い」旨を伝える表示５０２がカードスロット１０８の下から目に飛び込んでくる。使用者がテープへの動画記録モードにしている場合や動画をテープから再生するモードの時に、この「カードが無い」旨を伝える表示５０２は光っていないが、使用者がメモリカード１０５への記録モードに切り替えると「カードが無い」旨を伝える表示５０２が赤く光り、使用者に対してカードが無いことを強烈に印象付ける。
【００２８】
この表示は、メモリカード１０５がカードスロット１０８に差し込まれていないことをＳ４０２で判断したデジタルビデオカメラ１０１のシステムコントロールマイコン２０６が、Ｓ４０３でカードスロット下液晶表示１０７に表示を行うように処理し、Ｓ４０４でデジタルビデオカメラ１０１のモードがカードモードに切り替わっているかどうかによってカードスロット下バックライト２１０のＯＮ／ＯＦＦを決定することによって行われている。このように使用者が一見してメモリカード１０５が無いことを確認できることで、メモリカード１０５を入れ忘れるといった誤動作を防ぐとともに、目を細めたりモードを切り替えたりすることなくメモリカード１０５の有無を確認できることで使用者の負担を軽減することができる。
【００２９】
メモリカード１０５が差し込まれていないことを確認したデジタルビデオカメラ１０１の使用者は、手元にメモリカード１０５を用意することになる。しかし、現在市場に流通しているメモリカード１０５は、メモリカード１０５自体を眺めていても空き容量を知ることはできない。使用者がメモリカード１０５の空き容量を知るためには、メモリカード１０５をそのカードを使用する筐体等に装着し、電源を入れ、表示を確認することで初めてメモリカード１０５の空き容量を知ることができる。
【００３０】
例えば、従来のデジタルビデオカメラ１０１の場合、使用者はメモリカード１０５をデジタルビデオカメラ１０１のカードスロット１０８に差し込み、デジタルビデオカメラ１０１の電源を入れ、カードモードに切り替え、ビューファインダー１０４を覗く、若しくは液晶表示画面１０３を開いて見て初めてメモリカード１０５の空き容量を知ることができる。本発明におけるデジタルビデオカメラ１０１では、使用者がメモリカード１０５をデジタルビデオカメラ１０１のカードスロット１０８に差し込むと、メモリカード１０５の全メモリ容量に対してどの程度使用されているのかを、メモリカード１０５の周囲６０１からカードスロット下バックライト２１０の光５０１が漏れ、その光っている領域の大きさで使用容量を知ることができる。
【００３１】
例えば図６に示す光５０１の領域はメモリカード１０５の一部を照射している。この場合、メモリカード１０５の使用容量はこの光っている領域に比例した割合で使用されているということを示している。更に、図７に示すような光５０１の領域は、メモリカード１０５全体に及んでいる。このような場合には、メモリカードの使用容量は、ほぼメモリ全体であり、これ以上記録を行えないということを表現している。
【００３２】
メモリカード１０５に空き容量が無く、これ以上記録できないような場合には、バックライト２１０が赤く点滅したり、バックライト２１０に流す電流を調節することで、バックライト２１０の光量を調節する等しても良い。このようにカードスロット下バックライト２１０の光る領域や点滅によってメモリカードの空き容量を知らせる処理は、Ｓ４０２によってメモリカードが差し込まれたことを認識したデジタルビデオカメラ１０１のシステムコントロールマイコン２０６が、Ｓ４０７によってカードスロット下液晶表示１０７はＯＦＦにし、Ｓ４０８でメモリカード１０５の使用領域に関する情報を得て、この情報を基にＳ４０９でカードスロット下バックライト２１０を光らせる領域の決定を行う。
【００３３】
カードスロット下バックライト２１０はＬＥＤ９０１〜９０３が図９に示すように並んで配置されている。これらのＬＥＤ９０１〜９０３の光を、カードスロット下液晶表示１０７全体に行き渡らせるために、ＬＥＤ９０１〜９０３の上部にプリズムシート９０４が設置されている。このプリズムシート９０４は、ＬＥＤ９０１〜９０３に近い部分ではカードスロット下液晶表示１０７側に光が余り反射せず、ＬＥＤ９０１〜９０３から遠くなるほど多くの光を反射させ、カードスロット下液晶表示１０７全体がムラ無く光るようになっている。このカードスロット下バックライト２１０の、どこまでのＬＥＤを光らせるかによって、メモリカードの使用容量を表現することができる。ＬＥＤ９０１〜９０３を本実施の形態では３色のＬＥＤとし、それぞれ白、赤、緑のＬＥＤとする。
【００３４】
そして、デジタルビデオカメラ１０１の使用者は、実際にメモリカード１０５に静止画を記録する。使用者がシャッターを押してから、メモリカード１０５に画像情報が記録され始め、記録が終わると撮影終了となる。メモリカード１０５に画像情報が記録されている最中、従来のデジタルビデオカメラ１０１であれば、カードスロット部１０８近傍の筐体表面に備えられた緑色の表示窓が赤く光る等して、使用者にメモリカード１０５が書き込み中であることを伝えていた。本発明におけるデジタルビデオカメラ１０１においては、カードスロット下バックライト２１０の赤色ＬＥＤ９０２が光ることにより、メモリカード１０５の周囲６０１が赤く光が漏れ、使用者にメモリカード１０５が書き込み中であることを伝えることができる。又、書き込みが終わり、待機状態に戻った際には緑色のＬＥＤ９０３が光ることで、メモリカードの周囲６０１から漏れる光５０１が緑色となり、使用者にデジタルビデオカメラ１０１が待機中であることを知らせることができる。
【００３５】
本実施の形態においては、カードスロット下液晶表示１０７には「カードが無い」旨を伝える表示５０２をするようにしたが、普段余りカードを使用しない使用者等は、図８に示すようにここに時計８０１を表示させたり、その他設定等を表示できるようにしても良い。又、このカードスロット下液晶表示１０７は、カードスロット部１０８にメモリカード１０５が挿入されると同時に、表示を行わなくすることで、余計な電力を消費しないで済む。又、メモリカード周囲から漏れる光５０１によって表現される情報を、本実施の形態ではメモリカード１０５の使用領域としたが、表現される情報はこの限りではなく、デジタルビデオカメラ１０１のバッテリ残量等でも良い。
【００３６】
尚、本実施の形態では、デジタルビデオカメラを例に説明を行ったが、その他の着脱可能な記録媒体を使用する電子機器全てにおいて適応可能であることは言うまでもない。
【００３７】
＜実施の形態２＞
図１０及び図１１は本発明を適用したデジタルビデオカメラ１０１を背面より見た外観斜視図、図１２は本発明を適用したデジタルビデオカメラ１０１のカードスロット部１０８の断面図、図１３は本発明を適用したデジタルビデオカメラ１０１の内部構成を示すブロック図である。
【００３８】
デジタルビデオカメラ１０１は、レンズ部１０２から入射した画像を撮像素子２０１で光電変換し、Ａ／Ｄコンバータ２０２、信号処理回路２０３を経てレコーダー部２０４で記録することができる。又、静止画を撮像する場合には、カードスロット１０８に差し込まれたメモリカード１０５に静止画情報を記録し、前記の静止画が記録されたメモリカード１０５をデジタルビデオカメラ１０１から外してパソコン等に接続することで、静止画をパソコン上で利用することができる。
【００３９】
又、信号処理回路２０３を経た前記画像を表示駆動回路２０５でビューファインダー１０４に表示する。液晶表示画面１０３に前記の画像を表示する際には、カードスロット下液晶表示１０７と共通の表示駆動回路２０８を用いて表示を行う。これらの信号処理はシステムコントロールマイコン２０６で制御を行う。
【００４０】
本実施の形態におけるカードスロット１０８は、図１０や図１１に示すように、液晶表示画面１０３の裏側に設置されていることが特徴である。そして、カードスロット１０８が取り付けられている液晶表示画面１０３をデジタルビデオカメラ１０１に畳んで収納した時にメモリカード１０５の表面やカードスロット１０８の内部が見えるように透明部材３０１が設置されることを特徴としている。
【００４１】
更に、カードスロット１０８のメモリカード１０５の下には透明な保護部材を挟んでカードスロット下液晶表示１０７があり、カードスロット下液晶表示１０７の下にはカードスロット下液晶表示１０７を光らせることができるバックライト２１０が設置されている。このバックライト２１０は、カードスロット下液晶表示せるだけでなく、液晶表示画面表示１２０１を光らせるバックライトと兼用になっている。そのため、従来の液晶表示部材のようにバックライトの裏に基板や反射シートがバックライトのほぼ全領域に存在する形式の液晶表示部材は、本実施の形態で使用することができない。
【００４２】
そこで、本実施の形態では、両面液晶表示部材として公知の部材を用いる必要がある。この部材は、液晶表示１２０１やバックライト２１０を駆動する基板１２０２を小型なものにし、バックライト２１０や液晶表示１０７の下に収め、バックライト２１０を両面で共用するというものである。このバックライト２１０にはメモリカード１０５がカードスロット１０８に差し込まれている時にも、メモリカード１０５の周囲から光が漏れ、透明部材３０１を通してデジタルビデオカメラ１０１の外側からでもバックライト２１０の光を視認することができるよう光量が多いものを使用している。
【００４３】
本発明の特徴であるカードスロット部１０８の内部構成としては、前述のシステムコントロールマイコン２０６により制御される両面液晶表示部材用の表示駆動回路２０８によりカードスロット下液晶表示１０７とカードスロット下バックライト２１０の駆動を行っている。このカードスロット下用の表示駆動回路２０８は、カードスロット１０８に差し込まれたメモリカード１０５の空き容量やメモリカード１０５の有無等の情報を、カードスロット下液晶表示１０７やカードスロット下バックライト２１０の表示に反映することができる。
【００４４】
しかし、このままカードスロット下バックライト２１０を液晶表示画面１０３と共用してしまうと、デジタルビデオカメラ１０１の使用者が画像を確認するための液晶表示画面１０３を見たとき、カードスロット１０８を光らせる光が液晶表示画面１０３に照射されてしまい、著しく視認性の悪い表示になってしまう。そこで、液晶表示画面１０３の開閉検出スイッチ１１０２を用いて、液晶表示画面の開閉をシステムコントロールマイコン２０６に伝え、液晶表示画面１０３が開いて使用されているときは、カードスロット１０８を照射する手段としては使用せずに、液晶表示画面１０３を照射するために使用する。そして、液晶表示画面１０３が閉じている時にはカードスロット１０８を照射するためのバックライトとして使用する。
【００４５】
使用者が実際にこのデジタルビデオカメラ１０１を使用する状況については、実施の形態１とほぼ同じであるため、これについての説明は省略する。
【００４６】
又、本実施の形態では、デジタルビデオカメラを例に説明を行ったが、その他のメモリカードを使用する電子機器全てにおいて適応可能であることは言うまでもない。
【図面の簡単な説明】
【００４７】
【図１】本発明の実施の形態１におけるデジタルビデオカメラの外観斜視図である。
【図２】本発明の実施の形態１におけるデジタルビデオカメラの概略の内部構成を示す図である。
【図３】本発明の実施の形態１におけるカードスロット部の断面図である。
【図４】本発明の実施の形態１におけるデジタルビデオカメラが行う判断処理のフローチャートである。
【図５】本発明の実施の形態１において、カードスロットにカードが差し込まれていない時のカードスロット下液晶表示の表示例を示す図である。
【図６】本発明の実施の形態１において、カードスロットにカードが差し込まれている時のカードスロット下液晶表示の表示例を示す図である。
【図７】本発明の実施の形態１において、カードスロットにカードが差し込まれている時のカードスロット下液晶表示の表示例を示す図である。
【図８】本発明の実施の形態１において、カードスロットにカードが差し込まれていない時のカードスロット下液晶表示の表示例を示す図である。
【図９】本発明の実施の形態１におけるカードスロット下バックライトの配置例を示す図である。
【図１０】本発明の実施の形態２におけるデジタルビデオカメラの外観斜視図である。
【図１１】本発明の実施の形態２におけるデジタルビデオカメラの外観斜視図である。
【図１２】本発明の実施の形態２におけるカードスロット部の断面図である。
【図１３】本発明の実施の形態２におけるデジタルビデオカメラの概略の内部構成を示す図である。
【符号の説明】
【００４８】
１０１  デジタルビデオカメラ
１０２  レンズ部
１０３  液晶表示画面
１０４  ビューファインダー
１０５  メモリカード
１０６  メモリカード表面の表示
１０７  カードスロット下液晶表示
１０８  カードスロット
３０１  透明部材
３０２  デジタルビデオカメラの外装壁
３０３  カードスロットの壁
３０４  カードスロット下液晶表示用基板
３０５  カードスロット下液晶表示用素子
５０１  メモリカード周囲から漏れる光
５０２  「カードが無い」旨を伝える表示
６０１  光が漏れるメモリカード周囲
８０１  時計の表示
９０１  白色ＬＥＤ
９０２  赤色ＬＥＤ
９０３  緑色ＬＥＤ
９０４  プリズムシート
１２０１  液晶表示画面用液晶表示
１２０２  両面液晶表示部材の基板
【図１】
2006025329.tif 000003
【図２】
2006025329.tif 000004
【図３】
2006025329.tif 000005
【図４】
2006025329.tif 000006
【図５】
2006025329.tif 000007
【図６】
2006025329.tif 000008
【図７】
2006025329.tif 000009
【図８】
2006025329.tif 000010
【図９】
2006025329.tif 000011
【図１０】
2006025329.tif 000012
【図１１】
2006025329.tif 000013
【図１２】
2006025329.tif 000014
【図１３】
2006025329.tif 000015